(57)【要約】【課題】  塗料用缶体等を安定して積み重ね可能にする簡易構造の缶体用蓋材の提供。【解決手段】  積み重ねられる上下缶体の間に配設され、缶体底面を固定する突起部を有する一枚のダンボールからなる缶体用蓋材であって、前記蓋材は、缶体の上面を覆う略矩形状の天板部と、前記天板部から延設し、天板部に対して直角に折り曲げられることにより、缶体側面上部を覆う側面部と、前記天板部と前記側面部の折り曲げ線より天板部に向かって切り込まれることによって形成され、前記側面部を折り曲げることによって、天板部に対して突出して直角に立設する突起部からなり、前記突起部が天板部四縁に沿って配設されることを特徴とする缶体用蓋材である。【選択図】  図１
2005170422.tif 000002
【特許請求の範囲】
【請求項１】
積み重ねられる上下缶体の間に配設され、缶体底面を固定する突起部を有する一枚のダンボールからなる缶体用蓋材であって、
前記蓋材は、缶体の上面を覆う略矩形状の天板部と、
前記天板部から延設し、天板部に対して直角に折り曲げられることにより、缶体側面上部を覆う側面部と、
前記天板部と前記側面部の折り曲げ線より天板部に向かって切り込まれることによって形成され、前記側面部を折り曲げることによって、天板部に対して突出して直角に立設する突起部からなり、
前記突起部が天板部四縁に沿って配設されることを特徴とする缶体用蓋材。
【請求項２】
積み重ねられる上下缶体の間に配設され、缶体底面を固定する突起部を有する一枚のダンボールからなる缶体用蓋材であって、
前記蓋材は、缶体の上面を覆う略矩形状の天板部と、
前記天板部から延設し、天板部に対して直角に折り曲げられることにより、缶体側面上部を覆う側面部を有し、
前記側面部のうち対向する位置にある一対の側面部は、該側面部の左右にそれぞれ延設する舌部を有する長側面部であり、
他の一対の側面部は、該側面部が延設する天板部と略同長である短側面部であり、
前記長側面部は、該長側面部と前記天板部の折り曲げ線より天板部に向かって切り込まれることによって形成され、前記長側面部を折り曲げることによって、天板部に対して突出して直角に立設する長側面部突起部と、
前記舌部上面に形成される舌部突起部を有し、
前記短側面部と前記天板部の折り曲げ線上には矩形穴が形成され、
前記蓋材は、前記長側面部及び短側面部を天板部に対して直角に折り曲げ、前記舌部を前記長側面部に対して直角に折り曲げるとともに、前記矩形穴と前記舌部突起部を嵌合させることで箱状に形成され、
前記舌部突起部は、天板部から突出することを特徴とする缶体用蓋材。
【請求項３】
積み重ねられる上下缶体の間に配設され、缶体底面を固定する突起部を有する一枚のダンボールからなる缶体用蓋材であって、
前記蓋材は、缶体の上面を覆う略矩形状の天板部と、
前記天板部から延設し、天板部に対して直角に折り曲げられることにより、缶体側面上部を覆う側面部と、
前記天板部と前記側面部の折り曲げ線より天板部に向かって切り込まれることによって形成され、前記側面部を折り曲げることによって、天板部に対して突出して直角に立設する突起部からなり、
前記側面部のうち対向する位置にある一対の側面部は、該側面部の左右にそれぞれ延設する舌部を有する長側面部であり、
他の一対の側面部は、該側面部が延設する天板部と略同長である短側面部であり、
前記蓋材は、前記長側面部及び短側面部を天板部に対して直角に折り曲げ、前記舌部を前記長側面部に対して直角に折り曲げるとともに前記短側面部の内側壁と接合させることで、箱状に形成されることを特徴とする缶体用蓋材。
【請求項４】
前記天板部には、缶体上面に設けられた取っ手部を露出可能とする取っ手取り出し口が形成されていることを特徴とする請求項１乃至３いずれかに記載の缶体用蓋材。
【発明の詳細な説明】
【技術分野】
【０００１】
本発明は、塗料用缶体等を安定して積み重ね可能にする簡易構造の缶体用蓋材に関する。
【背景技術】
【０００２】
塗料等の缶体は薄い金属板で構成されている。したがって、缶体を積み重ねて運搬したり、陳列したりするときに、積み重ねた缶体が崩れ落ちたりすると、その衝撃によって缶体に容易に凹みなどの損傷を生じてしまう。
従来、このような缶体等の容器を安定して積み重ねるための手段として、特許文献１に開示されるような、上下缶体の間に配設され、缶体底部を突起部で固定する蓋材が知られている。
しかしながら、特許文献１に開示されるような蓋材は、缶体底部を固定するための突起部を形成するために樹脂等の材料から成形して作られるものであり、製品ではない単なる固定用の蓋材として使用するには、高価なものであるし、またその重量も重過ぎるものであった。
またこのような蓋材は使い捨てがしにくく、市場に広く流通する塗料用缶体等の商品の流通過程全般にわたっての使用には不向きであった。例えば、最終流通過程である量販店において、塗料用缶体を積み上げて陳列するためにこのような蓋材が用いられると、量販店で、該蓋材を不燃ごみとして処理するなどの必要が生ずることとなる。
【０００３】
【特許文献１】特開平７−９６９４３号公報
【発明の開示】
【発明が解決しようとする課題】
【０００４】
本発明は上記実情を鑑みてなされたものであって、塗料用缶体等を安定して積み重ねることができ、廉価・軽量で、しかも使い捨て可能であって、流通全般にわたって使用可能な缶体用蓋材を提供することを目的とする。
【課題を解決するための手段】
【０００５】
請求項１記載の発明は、積み重ねられる上下缶体の間に配設され、缶体底面を固定する突起部を有する一枚のダンボールからなる缶体用蓋材であって、前記蓋材は、缶体の上面を覆う略矩形状の天板部と、前記天板部から延設し、天板部に対して直角に折り曲げられることにより、缶体側面上部を覆う側面部と、前記天板部と前記側面部の折り曲げ線より天板部に向かって切り込まれることによって形成され、前記側面部を折り曲げることによって、天板部に対して突出して直角に立設する突起部からなり、前記突起部が天板部四縁に沿って配設されることを特徴とする缶体用蓋材である。
【０００６】
請求項２記載の発明は、積み重ねられる上下缶体の間に配設され、缶体底面を固定する突起部を有する一枚のダンボールからなる缶体用蓋材であって、前記蓋材は、缶体の上面を覆う略矩形状の天板部と、前記天板部から延設し、天板部に対して直角に折り曲げられることにより、缶体側面上部を覆う側面部を有し、前記側面部のうち対向する位置にある一対の側面部は、該側面部の左右にそれぞれ延設する舌部を有する長側面部であり、他の一対の側面部は、該側面部が延設する天板部と略同長である短側面部であり、前記長側面部は、該長側面部と前記天板部の折り曲げ線より天板部に向かって切り込まれることによって形成され、前記長側面部を折り曲げることによって、天板部に対して突出して直角に立設する長側面部突起部と、前記舌部上面に形成される舌部突起部を有し、前記短側面部と前記天板部の折り曲げ線上には矩形穴が形成され、前記蓋材は、前記長側面部及び短側面部を天板部に対して直角に折り曲げ、前記舌部を前記長側面部に対して直角に折り曲げるとともに、前記矩形穴と前記舌部突起部を嵌合させることで箱状に形成され、前記舌部突起部は、天板部から突出することを特徴とする缶体用蓋材である。
【０００７】
請求項３記載の発明は、積み重ねられる上下缶体の間に配設され、缶体底面を固定する突起部を有する一枚のダンボールからなる缶体用蓋材であって、前記蓋材は、缶体の上面を覆う略矩形状の天板部と、前記天板部から延設し、天板部に対して直角に折り曲げられることにより、缶体側面上部を覆う側面部と、前記天板部と前記側面部の折り曲げ線より天板部に向かって切り込まれることによって形成され、前記側面部を折り曲げることによって、天板部に対して突出して直角に立設する突起部からなり、前記側面部のうち対向する位置にある一対の側面部は、該側面部の左右にそれぞれ延設する舌部を有する長側面部であり、他の一対の側面部は、該側面部が延設する天板部と略同長である短側面部であり、前記蓋材は、前記長側面部及び短側面部を天板部に対して直角に折り曲げ、前記舌部を前記長側面部に対して直角に折り曲げるとともに前記短側面部の内側壁と接合させることで、箱状に形成されることを特徴とする缶体用蓋材である。
【０００８】
請求項４記載の発明は、前記天板部には、缶体上面に設けられた取っ手部を露出可能とする取っ手取り出し口が形成されていることを特徴とする請求項１乃至３いずれかに記載の缶体用蓋材である。
【発明の効果】
【０００９】
請求項１記載の発明によれば、側面部を折り曲げることによって、缶体上面及び缶体側面上部を保護可能であるとともに、天板上面には該缶体の上に積み重ねられる缶体の底部を固定する突起部が形成されるので、安定して缶体を積み重ね可能であり、且つ缶体上面を保護可能である。
また、不使用時には平板状になるので、蓋材の保管に場所をとらず、且つ蓋材がダンボールからなるので軽量であり、容易に使い捨てができる。
更には、ダンボールに折り曲げ加工及び切り込み加工のみを施すことによって蓋材が形成されるので蓋材を廉価に製造可能である。
【００１０】
請求項２及び３記載の発明によれば、蓋材が箱状に形成されるので、流通過程全般において蓋材を缶体上部に安定して配設しておくことが可能であり、蓋材を商品の一部として扱うことができる。即ち、缶体を販売する店において、缶体上部に蓋材を配置したまま缶体を積み重ねて陳列することができ、また缶体の購入者が蓋材をつけたまま缶体を購入することが可能となる。よって、流通の最終過程まで缶体上部を保護することが可能となる。
【００１１】
請求項４記載の発明によれば、天板部に形成される切込み部より缶体上面の取っ手部が露出可能であるので、蓋材を取り付けた状態での缶体の運搬が容易となる。
【発明を実施するための最良の形態】
【００１２】
以下、本発明に係る缶体用蓋材の実施形態について、図を参照しつつ説明する。図１は第１の実施形態を示す。図１（ａ）は蓋材の展開図であり、図１（ｂ）は蓋材を直方体形状の缶体上部に取り付けた図である。
本発明に係る蓋材（１）は一枚のダンボールから作られる。ダンボールから蓋材（１）を作ることによって、蓋材（１）はクッション性を有し、缶体（Ａ）を積み重ねたときに缶体（Ａ）同士が接触することによる缶体（Ａ）の変形を防ぐことができる。
蓋材（１）は、略矩形の天板部（２）を有する。天板部（２）の大きさや縦横の長さの比率は蓋材（１）が用いられる缶体（Ａ）の上面の形状に応じて適宜定められる。
天板部（２）の四縁からは略矩形状の側面部（３）が延設している。天板部（２）と側面部（３）の間には折り曲げ線（４）が形成され、側面部（３）は天板部（２）に対して直角に折り曲げ可能とされる。
折り曲げ線（４）からは、天板部（２）に向かって切り込み部（６）が形成され、該切込み部（６）を境にして、天板部（２）と側面部（３）とが分断されている。この切り込み部（６）によって側面部（３）の天板部（２）との接続辺において突起部（５）が形成される。したがって突起部（５）は天板部（２）の四縁に沿って配設されることとなる。
図１に示す例では、突起部（５）は略長方形状に形成されているが、特に限定されるものではなく、例えば三角形状の突起部（５）であってもよい。
また、突起部（５）は天板部（２）の四縁それぞれに配設されることが好ましい。更に好ましくは、天板部（２）のそれぞれの角部近傍に配設され、該角部を挟むように配設されるとよい。このようにすれば、その上に積み重ねられる缶体（Ａ）をより安定的に保持することができる。
【００１３】
図１（ｂ）に示す如く、上記の構造の蓋材（１）の側面部（３）を天板部（２）に対して直角に折り曲げると、突起部（５）は天板部（２）に対して直角に突出して立設する。したがって、蓋材（１）を取り付けられた缶体（Ａ）の上に、さらに缶体（Ａ）を積み重ねたとき、積み重ねられた缶体（Ａ）の底部は蓋材（１）の突起部（５）によって保持されるので、積み重ねられた缶体（Ａ）が転倒しない。
【００１４】
第１の実施形態に係る蓋材（１）は、倉庫での保管、流通経路における運搬のときに缶体（Ａ）が安定的に積み重ねられることを可能にする。
また第１の実施形態に係る蓋材（１）は、側面部（３）及び天板部（２）で形作られる外形及び切り込み部（６）を切断し、各側面部（３）と天板部（２）の間に折り曲げ線を形成することのみで製作可能であるので、製造コストが樹脂などを成形して得られる蓋材と較べて低い。
更に、蓋材（１）は側面部（３）を折り曲げない状態では平板状になるので、蓋材（１）の保管において省スペースを実現できる。
【００１５】
次に第２の実施形態に係る蓋材について説明する。図２は第２の実施形態に係る蓋材を示す図である。図２（ａ）は蓋材の展開図であり、図２（ｂ）は蓋材を直方体形状の缶体上部に取り付けた図である。
第２の実施形態に係る蓋材（１）は、第１の実施形態に係る蓋材（１）と同様に一枚のダンボールよりなる。したがって、第１の実施形態と同様に、第２の実施形態に係る蓋材（１）もクッション性を有し、缶体（Ａ）を積み重ねたときに缶体（Ａ）同士が接触することによる缶体（Ａ）の変形を防ぐことができる。
第１の実施形態と同様に、蓋材（１）は、略矩形の天板部（２）を有し、天板部（２）の大きさや縦横の長さの比率は蓋材（１）が用いられる缶体（Ａ）の上面の形状に応じて適宜定められる。
天板部（２）の四縁からは略矩形状の側面部（３）が延設している。天板部（２）と側面部（３）の間には折り曲げ線（４）が形成され、側面部（３）は天板部（２）に対して直角に折り曲げ可能とされる。
側面部（３）のうち、図２（ａ）中上下に配置される側面部（３）は、長側面部（３１）であり、図２（ａ）中左右に配置される側面部（３）は短側面部（３２）である。短側面部（３２）は天板部（２）の幅と略同長である。一対の長側面部（３１）及び一対の短側面部（３２）は天板部（２）に対して対向する位置にある。
【００１６】
長側面部（３１）は、その左右から延設する舌部（３３）を有する。短側面部（３２）と天板部（２）の間に形成される折り曲げ線（４）の延長線上の長側面部（３１）、即ち舌部（３３）の延設部には折り曲げ線（４１）が形成され、舌部（３３）は長側面部（３１）に対して、直角に折り曲げ可能とされる。
長側面部（３１）と天板部（２）の間に形成される折り曲げ線（４）からは、第１の実施形態と同様に切り込み部（６）が形成され、切り込み部（６）を境にして天板部（２）と長側面部（３１）とが分断され、長側面部（３１）上に長側面部突起部（５１）が形成される。
更に舌部（３３）の上面、即ち天板部（２）と長側面部（３１）との間に形成される折り曲げ線（４）の延長線上にある舌部（３３）の面上に、舌部突起部（５２）が形成される。
長側面部突起部（５１）及び舌部突起部（５２）は、図２中において略長方形状に形成されているが、これに限定されるものではなく、例えば三角形状の突起部（５）であってもよい。
【００１７】
天板部（２）と短側面部（３２）の折り曲げ線（４）上の天板部（２）には、矩形穴（７）が形成される。矩形穴（７）には、舌部突起部（５２）が嵌入される。矩形穴（７）の形状は舌部突起部（５２）の幅及び蓋材（１）のダンボール材の厚さによって適宜定められる。
【００１８】
蓋材（１）は、折り曲げ線（４，４１）に沿って側面部（３）及び舌部（３３）が折り曲げられ、上述の如く矩形穴（７）に舌部突起部（５２）が嵌入され、箱状に形成される。このとき、舌部（３３）と短側面部（３２）の内側壁は当接し、舌部突起部（５２）は天板部（２）から突出する。
尚、舌部（３３）と短側面部（３２）とを、ホッチキスや接着剤などによって、接合してもよい。このようにすると、蓋材（１）の箱形状をより維持しやすくなる。
このように蓋材（１）が箱状にされたとき、天板部（２）の四縁には長側面部突起部（５１）及び舌部突起部（５２）が垂直に立設する（図２（ｂ）参照）。
この箱状にされた蓋材（１）は、缶体（Ａ）の上面にかぶせられる。
このようにして、第１の実施形態と同様に缶体（Ａ）の上面四縁に突起部（５１，５２）が形成され、該缶体（Ａ）の上に缶体（Ａ）を安定して載置することができる。
【００１９】
第２の実施形態に係る蓋材（１）は、倉庫での保管、流通経路における運搬のときに缶体（Ａ）が安定的に積み重ねられることを可能にする。
第１の実施形態に係る蓋材（１）は倉庫から店頭での販売までの流通過程における缶体（Ａ）の安定的な積み重ね載置を可能としていたが、第２の実施形態においては、更に、缶体（Ａ）の購入者が缶体（Ａ）を購入した後の安定的な積み重ね載置をも可能とする。
第１の実施形態に係る蓋材（１）は、缶体（Ａ）によって上下に挟まれているときは、缶体（Ａ）上部に安定的に載置されるが、蓋部（１）の上に載置される缶体（Ａ）が取り除かれた状態では、第１の実施形態に係る蓋材（１）がしっかりとした箱状に形成されていないため、簡単に缶体（Ａ）上面を滑ることとなる。
一方、第２の実施形態に係る蓋材（１）は、しっかりとした箱状に形成されるので、蓋材（１）上面に缶体（Ａ）が載置されていない状態でも、缶体（Ａ）上面に安定的に載置されることになる。したがって、缶体（Ａ）の購入者が缶体（Ａ）を購入後においても蓋材（１）は缶体（Ａ）上に載置されることが可能であり、缶体（Ａ）購入後においても蓋材（１）は缶体（Ａ）上部を衝撃等の外力から保護することができる。
更に、購入者が複数の缶体（Ａ）を購入したとき、例えば購入者の自宅にて缶体（Ａ）を安定的に積み重ねて保管することを可能とする。
したがって、第２の実施形態に係る蓋材（１）は缶体製造現場にある缶体用倉庫から購入者の自宅までの全ての流通過程で缶体（Ａ）上部を保護し続けることが可能であり、同時に缶体（Ａ）の安定的な積み重ねを提供し続ける。
【００２０】
図３に第３の実施形態に係る蓋材（１）を示す。図３（ａ）は蓋材の展開図であり、図３（ｂ）は蓋材を直方体形状の缶体上部に取り付けた図である。
第３の実施形態に係る蓋材（１）は、第１、第２の実施形態に係る蓋材（１）と同様に一枚のダンボールよりなる。したがって、第３の実施形態に係る蓋材（１）もクッション性を有し、缶体（Ａ）を積み重ねたときに缶体（Ａ）同士が接触することによる缶体（Ａ）の変形を防ぐことができる。
第３の実施形態の蓋材（１）も、略矩形の天板部（２）を有する。天板部（２）の大きさや縦横の長さの比率は蓋材（１）が用いられる缶体（Ａ）の上面の形状に応じて適宜定められる。
天板部（２）の四縁からは略矩形状の側面部（３）が延設している。天板部（２）と側面部（３）の間には折り曲げ線（４）が形成され、側面部（３）は天板部（２）に対して直角に折り曲げ可能とされる。
側面部（３）のうち、図３（ａ）中上下に配置される側面部（３）は、長側面部（３１）であり、図３（ａ）中左右に配置される側面部（３）は短側面部（３２）である。一対の長側面部（３１）及び一対の短側面部（３２）は天板部（２）に対して対向する位置にある。短側面部（３２）は天板部（２）の幅と略同長である。
【００２１】
長側面部（３１）は、その左右から延設する舌部（３３）を有する。短側面部（３２）と天板部（２）の間に形成される折り曲げ線（４）の延長線上の長側面部（３１）、即ち舌部（３３）の延設部には折り曲げ線（４１）が形成され、舌部（３３）は長側面部（３１）に対して、直角に折り曲げ可能とされる。
長側面部（３１）と天板部（２）の間に形成される折り曲げ線（４）からは、第１の実施形態と同様に切り込み部（６）が形成され、切り込み部（６）を境にして天板部（２）と長側面部（３１）とが分断され、長側面部（３１）上に突起部（５）が形成される。
天板部（２）と短側面部（３２）の間に形成される折り曲げ線（４）からも、同様にして、切込み部（６）が形成され、切込み部（６）を境にして天板部（２）と長側面部（３１）とが分断され、短側面部（３２）上に突起部（５）が形成される。
このようにして、側面部（３）の天板部（２）との接続辺において突起部（５）が形成される。したがって突起部（５）は天板部（２）の四縁に沿って配設されることとなる。
突起部（５）は、図３中において略長方形状に形成されているが、これに限定されるものではなく、例えば三角形状の突起部（５）であってもよい。
また、突起部（５）は天板部（２）の四縁それぞれに配設されることが好ましい。更に好ましくは、天板部（２）のそれぞれの角部近傍に配設され、該角部を挟むように配設されるとよい。このようにすれば、その上に積み重ねられる缶体（Ａ）をより安定的に保持することができる。
【００２２】
蓋材（１）は、折り曲げ線（４，４１）に沿って側面部（３）及び舌部（３３）が折り曲げられることによって、箱状に形成される。このとき、舌部（３３）と短側面部（３２）の内側壁は当接する。舌部（３３）と短側面部（３２）とは、ホッチキスや接着剤等の手段によって接合され、蓋材（１）の箱形状は固定される。
図３（ｂ）に示す如く、上記の構造の蓋材（１）の側面部（３）を天板部（２）に対して直角に折り曲げると、突起部（５）は天板部（２）に対して直角に突出して立設する。したがって、蓋材（１）を取り付けられた缶体（Ａ）の上に、さらに缶体（Ａ）を積み重ねたとき、積み重ねられた缶体（Ａ）の底部は蓋材（１）の突起部（５）によって保持されるので、積み重ねられた缶体（Ａ）が転倒しない。
【００２３】
第３の実施例に係る蓋材（１）は、第２の実施例と同様に箱状の蓋材となり、第２の実施例に係る蓋材（１）と同様の効果を有する。また、側面部（３）を天板部（２）に対して直角に折り曲げることのみで、突起部（５）を天板部（２）に対して立設させることができるので、第２の実施例に係る蓋材（１）よりも組立が容易である。
【００２４】
尚、第１乃至第３の実施形態の蓋材（１）の天板部（２）に缶体（Ａ）の取っ手部を露出させるための取っ手取り出し口（８）を形成してもよい。取っ手取り出し口（８）を形成することにより、缶体（Ａ）の取っ手を蓋材（１）上方に露出させることができ、缶体（Ａ）の運搬が容易となる。尚、取っ手取り出し口（８）の形状、大きさ、位置などは缶体（Ａ）上面に配設される取っ手部によって適宜定められればよい。
尚、図１及び図２に示す取っ手取り出し口（８）はＨ字状の切り込みによって形成され、Ｈ字状の切り込みの横線部より缶体（Ａ）の取っ手を露出可能としている。
加えて、第１の実施形態に係る蓋材（１）に取っ手取り出し口（８）を設ければ、取っ手取り出し口（８）から缶体（Ａ）の上面に取っ手を露出させることにより、蓋材（１）は取っ手によって固定されることが可能となる。
【産業上の利用可能性】
【００２５】
本発明は、直方体形状の缶体上部を保護するとともに、該缶体を積み重ねて安定的に載置可能とする蓋材に好適に適用される。
【図面の簡単な説明】
【００２６】
【図１】本発明に係る蓋材の第１の実施形態を示す図である。（ａ）は蓋材の展開図であり、（ｂ）は蓋材を直方体形状の缶体上部に取り付けた図である。
【図２】本発明に係る蓋材の第２の実施形態を示す図である。（ａ）は蓋材の展開図であり、（ｂ）は蓋材を直方体形状の缶体上部に取り付けた図である。
【図３】本発明に係る蓋材の第３の実施形態を示す図である。（ａ）は蓋材の展開図であり、（ｂ）は蓋材を直方体形状の缶体上部に取り付けた図である。
【符号の説明】
【００２７】
１・・・・・蓋材
２・・・・・天板部
３・・・・・側面部
３１・・・・長側面部
３２・・・・短側面部
３３・・・・舌部
４・・・・・折り曲げ線
５・・・・・突起部
５１・・・・長側面部突起部
５２・・・・舌部突起部
７・・・・・矩形穴
８・・・・・取っ手取り出し口
Ａ・・・・・缶体
【図１】
2005170422.tif 000003
【図２】
2005170422.tif 000004
【図３】
2005170422.tif 000005